(57)【特許請求の範囲】
【請求項１】
窓を有するかごに照明灯を設置し、このかご内照明灯によるかご内照度を測定し、このかご内照度が所定の判定基準照度以下になると異常検出するエレベーターにおいて、上記かごを外光が入射する所定階へ移動させて上記かご内照明灯を消灯した状態で上記かご内照度を測定する照明測定手段と、この照明測定手段により測定された上記かご内照度を所定の補正基準値と比較して上記判定基準照度を選択する判定基準照度選択手段とを備えたことを特徴とするエレベーターのかご内照明異常検出装置。
【請求項２】
かご内照度が切換基準照度を越えるとかご内照明灯を消灯させるスイッチ開閉制御手段を設けたことを特徴とする請求項１記載のエレベーターのかご内照明異常検出装置。
【請求項３】
かご内に発光表示器を設け、かご内照度に応じて上記発光表示器の輝度を制御する輝度補正値制御手段を設けたことを特徴とする請求項１又は請求項２に記載のエレベーターのかご内照明異常検出装置。
【請求項４】
かごを、屋外側に窓を持つ展望用かごとしたことを特徴とする請求項１〜請求項３のいずれかに記載のエレベーターのかご内照明異常検出装置。
【請求項５】
窓を有するかごに設置されたかご内照明灯によるかご内照度を測定し、このかご内照度が所定の判定基準照度以下になると異常検出するエレベーターにおいて、上記かごを外光が入射する所定階へ移動させるステップと、上記かごの移動後上記かご内照明灯を消灯するステップと、上記かご内照明灯の消灯後上記かご内照度を測定するステップと、上記測定されたかご内照度を所定の補正基準値と比較して上記判定基準照度を補正するステップとを備えたことを特徴とするエレベーターのかご内照明異常検出方法。
【発明の詳細な説明】
【０００１】
【発明の属する技術分野】
この発明は、窓を有するエレベーターのかご内照明灯の異常を検出する装置に関するものである。
【０００２】
【従来の技術】
図６及び図７は、例えば特開平７−２３７８４２号公報に示された従来のかご内照明異常検出装置を示す図で、図６はブロック線図、図７は動作タイミングチャートである。
エレベーターのかご１内のかご内照明灯２は、エレベーターが正常のとき及び意図して消灯しているとき以外は点灯している。かご内照明灯２の付近に設置された照度センサ４は、常にかご内照明灯２によるかご１内照度を測定して、照度検出装置１３にデータを送っている。
【０００３】
照度検出装置１３では、図７に示すように、あらかじめ、一定値の照度が登録されており、照度センサ４から送られて来る照度がその一定値の照度以上であればオン信号を、一定値の照度未満であればオフ信号を判別回路１４へ出力する。かごドアスイッチ６はかご戸が閉じていればオン信号を判別回路１４へ送る。
【０００４】
かご内照明灯２が故障してちらつきが発生すると、照度検出装置１３でオン信号とオフ信号を交互に繰り返し判別回路１４へ送ることになる。判別回路１４では信号が一定時間内に一定回数送られて来て、同時にかごドアスイッチ６のオン信号が入力されると、かご内照明灯２が異常であると判断し、照明制御回路１５へ信号を送る。また、かご内照明灯２で何らかの原因で照度を低下させた場合、上記と同様に照度検出装置１３はオフ信号を判別回路１４へ送る。
【０００５】
判別回路１４では、オフ信号が送られて来て、同時にかごドアスイッチ６のオン信号が入り、更にかご内照明灯２が意図して消灯されていなければ、かご内照明灯２が異常であると判断し、照明制御回路１５へ信号を送る。上記二つの内容のどちらかにより、信号が照明制御回路１５へ送られて来ると、かご内照明灯２を電源から切り放して消灯させる。同時に、予備照明灯３を点灯させる。更に外部連絡装置１７を動作させて外部へ異常を発報する。
【０００６】
【発明が解決しようとする課題】
上記のような従来のエレベーターのかご内照明異常検出装置ではかご１内照度によってかご内照明灯２の異常を検出するようにしているため、展望用エレベーターのように、かご１に窓が設けられ、外光が入射するかご１で、外光によりかご１内照度が判定基準照度よりも高くなったとき、例えばけい光灯のちらつきなどのかご内照明灯２の異常が発生した場合、その異常を検出することができず乗客に不快感を与えるなどの問題点がある。
【０００７】
また、外光によるかご１内照度の強弱により、かご１内に設置されているかご位置表示器などの発光表示器の表示内容の認識が因難となり、乗客に不快感を与える。更に、外光によりかご１内照度が所定値以上に確保されている場合には、かご内照明灯２の点灯がむだとなり、不要電力を消費する等の問題点がある。
【０００８】
この発明は上記問題点を解消するためになされたもので、外光によるかご内照明灯の異常検出の誤動作を防止し、かつ省電力化を図るとともに、かご内発光表示器を良好な認識状態に保つことができるようにしたエレベーターのかご内照明異常検出装置を提供することを目的とする。
【０００９】
【課題を解決するための手段】
この発明の、第１発明に係るエレベーターのかご内照明異常検出装置は、かごを外光が入射する所定階へ移動させてかご内照明灯を消灯した状態でかご内照度を測定し、この測定されたかご内照度を所定の補正基準値と比較して判定基準照度を選択するようにしたものである。
【００１０】
また、第２発明に係るエレベーターのかご内照明異常検出装置は、第１発明のものにおいて、かご内照度が切換基準照度を越えると、かご内照明灯を消灯させるようにしたものである。
【００１１】
また、第３発明に係るエレベーターのかご内照明異常検出装置は、第１又は第２発明のものにおいて、かご内照度に応じて発光表示器の輝度を制御するようにしたものである。
【００１２】
また、第４発明に係るエレベーターのかご内照明異常検出装置は、第１〜第３発明のものにおいて、かごを、屋外側に窓を持つ展望用かごとしたものである。
【００１３】
また、第５発明に係るエレベーターのかご内照明異常検出方法は、かごを外光が入射する所定階へ移動させ、かごの移動後かご内照明灯を消灯し、かご内照明灯の消灯後かご内照度を測定し、測定されたかご内照度を所定の補正基準値と比較して判定基準照度を補正する各ステップを有するものである。
【００１４】
【発明の実施の形態】
実施の形態１．
図１〜図３はこの発明の第１、第４及び第５発明の一実施の形態を示す図で、図１は全体構成図、図２は動作フローチャート、図３は動作タイミングチャートである。なお、図中同一符号は同一部分を示す。
【００１５】
図１において、１は展望用エレベーター等の窓付エレベーターのかご、２はかご１内の天井に設置されたかご内照明灯、３は同じく予備照明灯、４はかご内照明灯２の付近に設置された照度センサ、５は位置表示器、発光ダイオード式、液晶式等の情報表示器などの発光表示器、６はかご戸（図示しない）が閉じていればオン信号を出力するかごドアスイッチ、７はかご１内の負荷を検出するかご内負荷検出器、８はかご内照明の異常検出に対する演算回路で、９は判定基準照度の補正値を演算する補正値演算制御手段、１０はかご内照明スイッチ（後述）のオン／オフを判定制御するスイッチ開閉制御手段である。
【００１６】
１１は発光表示器５の輝度補正値を演算する輝度補正値制御手段、１２は補正値演算制御手段９に接続され判定基準照度の補正値を選択する判定基準照度選択手段、１３は照度センサ４及び判定基準照度選択手段１２に接続されかご１内の照度が所定値以上であればオン信号を、所定未満であればオフ信号を出力する照度検出装置、１４は補正値演算制御手段９、スイッチ開閉制御手段１０、照度検出装置１３及びかごドアスイッチ６に接続されかご内照明灯２の異常を判別する判別回路である。
【００１７】
１５は判別回路１４に接続されかご内照明灯２及び予備照明灯３を制御する照明制御回路、１６はかご内照明灯２及び予備照明灯３と照明制御回路１５の間に挿入され、補正値演算制御手段９及びスイッチ開閉制御手段１０に接続された切換スイッチ、１７は照明制御回路１５に接続されかご内照明灯２の異常を外部へ通報する外部連絡装置、１８は照度選択装置で、１９は輝度補正値制御手段１１に接続された選択回路、２０Ａ〜２０Ｃは選択回路１９及び発光表示器５の間に挿入された制限抵抗である。
【００１８】
次に、この実施の形態の動作を説明するに先立って、かご内照明灯２の異常検出動作について説明する。今、かご内照明灯２は点灯しているものとする。照度センサ４はかご１内の照度を測定し、照度検出装置１３へデータを送出している。照度検出装置１３では後述するように判定基準照度が登録されており、照度センサ４から送られて来る照度が、判定基準照度以上であればオン信号を、判定基準照度未満であればオフ信号を判別回路１４へ送出する。また、かごドアスイッチ６はかご戸が閉じていればオン信号を判別回路１４へ出力する。
【００１９】
かご内照明灯２が故障してちらつきを発生すると、照度検出装置１３はオン信号とオフ信号を交互に繰り返して判別回路１４へ送出する。判別回路１４では信号が一定時間内に一定回数送られて来て、同時にかごドアスイッチ６のオン信号が入力されると、かご内照明灯２が異常であると判断し、照明制御回路１５へ信号を送る。また、かご内照明灯２が何らかの原因で光度が減少し、かご１内の照度が低下すると、上述のように照度検出装置１３はオフ信号を判別回路１４へ送出する。
【００２０】
これで、判別回路１４はかご内照明灯２が異常であると判断し、照明制御回路１５へ信号を送る。このようにして、かご内照明灯２のちらつき又はかご１内の照度低下によって、信号が照明制御回路１５へ送られて来ると、切換スイッチ１６を動作させて、かご内照明灯２を電源から切り放して消灯させる。同時に、切換スイッチ１６を動作させて、予備照明灯３を点灯させる。また、外部連絡装置１７を動作させて、外部にかご内照明灯２の異常を発報する。
【００２１】
次に、この実施の形態の動作を説明するが、補正値演算制御手段９及び判定基準照度選択手段１２の動作を図２及び図３を参照して説明する。ステップＳ１で初期設定として、メモリ（図示しない）に記憶されている補正基準値１及び補正基準値２（補正基準値１＜補正基準値２）のデータを読み出して設定し、演算回路８内のメモリ（図示しない）にそれぞれ補正基準データＸ及び補正基準データＹとして格納する。次にステップＳ２でかご内負荷検出器７の出力を監視してかご１が所定時間無負荷になるのを待つ。
【００２２】
以後、判定基準照度の補正動作に移行するが、外光の入射しない地下階等で補正しても意味がないので、かご１を外光の入射する所定階まで移動させ、戸閉したまま停止させる。そして、ステップＳ２でかご１内が所定時間無負荷であると判定すると、外光によりかご１内照度を測定するため、ステップＳ３で既述の照明異常検出機能を無効にして、ステップＳ４でかご内照明灯２を消灯する。そしてステップＳ５で、照度センサ４によりかご１内照度を測定して、メモリにかご内照度データＮを格納する。
【００２３】
かご１内照度を測定した後は、ステップＳ６でかご内照明灯２を点灯し、ステップＳ７で照明異常検出機能を復帰させる。次に、ステップＳ８でメモリ内のかご内照度データＮと補正基準データＸを比較し、かご内照度データＮが補正基準データＸ以下であれば、ステップＳ９へ進んで判定基準照度１を選択する。かご内照度データＮが補正基準データＸを越えていればステップＳ１０へ進む。
【００２４】
ステップＳ１０でかご内照度データＮと補正基準データＹを比較し、かご内照度データＮが補正基準データＹ以下であれば、ステップＳ１１へ進んで判定基準照度２を選択する。かご内照度データＮが補正基準データＹを越えていればステップＳ１２へ進んで判定基準照度３を選択する。ここで、ステップＳ１〜Ｓ１２は判定基準照度補正手段を、ステップＳ２〜Ｓ５は照度測定手段を構成し、ステップＳ８〜Ｓ１２は判定基準照度選択手段１２に相当する。
【００２５】
次に、上記の判定基準照度の選択動作を図２を参照して説明する。図３において、判定基準照度１〜３、かご内照明灯２の点灯時の照度レベルａ１〜ａ３、及び同じく消灯時の照度レベルｂ１〜ｂ３が図のような関係にあるものとする。
期間Ｔ１ではかご内照明灯２消灯時外光によるかご１内照度はレベルｂ１となり、判定基準照度１が選択される。期間Ｔ２では外光によるかご１内照度はレベルｂ２となり、判定基準照度２が選択される。同様に、期間Ｔ３では判定基準照度３が選択され、外光による照度に応じたかご内照明異常検出の判定基準照度１〜３を設定することができる。
【００２６】
このように設定するのは、次のような理由による。すなわち、もし期間Ｔ１に判定基準照度２又は判定基準照度３が選択されたとすると、かご内照明灯２が点灯していても、そのときのかご１内は照度レベルａ１となり、異常と検出される。また、期間Ｔ２でも同様であり、判定基準照度３が選択されたとすると、正常時にも異常検出される。更に、期間Ｔ３の場合、判定基準照度１が選択されたとすると、かご内照明灯２が消灯しても、照度レベルｂ３となり、異常検出ができなくなる。
このようにして、外光によるかご内照明異常検出の誤動作を防止し、高精度の検出が可能となる。
【００２７】
実施の形態２．
図４はこの発明の第２及び第４発明の一実施の形態を示す動作フローチャートである。なお、図１はこの実施の形態にも共用する。この実施の形態は、実施の形態１で判定基準照度１〜３のいずれかに設定され、エレベーターが平常運転に移動した後の動作に関するものである。
【００２８】
ステップＳ２１で初期設定として、補正基準データＸ１をメモリに格納する。次に、ステップＳ２２でかご内照明灯２が点灯しているか、又は意図的に消灯されているかを判定し、点灯していればステップＳ２３へ進み、乗客に不快感を与えないようにするため、かご１内が所定時間無負荷になるのを待つ。その後、ステップＳ２４で照明異常検出機能を無効とし、ステップＳ２５でかご内照明灯２を消灯する。
【００２９】
そして、ステップＳ２６でかご１内照度を測定して、メモリにかご内照度データＮ１を格納する。また、ステップＳ２２でかご内照明灯２が消灯していると判定したときは、ステップＳ２６へ飛び、かご１内照度を判定する。ステップＳ２７でかご内照度データＮ１と照明切換基準データＸ１を比較し、かご内照度データＮ１が照明切換基準データＸ１以下であれば、ステップＳ２８でかご内照明灯２を点灯し、ステップＳ２９で照明異常検出機能を復帰させる。
【００３０】
また、ステップＳ２７でかご内照度データＮ１が照明切換基準データＸ１を越えると判定されると、外光によりかご１内照度が確保されるものと判断してステップＳ３０へ進み、かご内照明灯２を消灯の状態を保持するように、切換スイッチ１６を動作させ、ステップＳ３１で照明異常検出機能を無効にする。これにより、外光によるかご１内照度に応じて、切換スイッチ１６を切り換えることができる。ここで、ステップＳ２７，Ｓ３０はスイッチ開閉制御手段１１に相当する。
このようにして、外光によるかご１内照度が確保されている場合、かご内照明灯２を消灯し、省電力化を図ることが可能となる。
【００３１】
実施の形態３．
図５はこの発明の第３及び第４発明の一実施の形態を示す動作フローチャートである。なお、図１はこの実施の形態にも共用する。
この実施の形態は、かご１内照度に応じて発光表示器５の輝度を制御するようにしたものである。
【００３２】
ステップ４１で初期設定として、表示器照度基準１及び表示器照度基準２のデータを、それぞれ輝度基準データＸ２及び輝度基準データＹ２としてメモリに格納する。次に、ステップＳ４２でかご１内照度を測定して、メモリにかご内照度データＮ２を格納する。ステップＳ４３でかご内照度データＮ２と照度基準データＸ２を比較し、かご内照度データＮ２が輝度基準データＸ２以下であれば、ステップＳ４４で輝度１と判定する。
【００３３】
また、かご内照度データＮ２が輝度基準データＸ２を越えていれば、ステップＳ４５へ進む。ステップＳ４５でかご内照度データＮ２と補正基準データＹ２を比較し、かご内照度データＮ２が輝度基準データＹ２以下であれば、ステップＳ４６で輝度２と判定する。かご内照度データＮ２が輝度基準データＹを越えていれば、ステップＳ４７で輝度３と判定する。
これらの輝度１〜３の輝度指令値は、輝度選択装置１８へ送出され、選択回路１９で制限抵抗２０Ａ〜２０Ｃを選択して、発光表示器５の輝度を制御する。ここで、Ｓ４１〜Ｓ４７は輝度補正値制御手段１１に相当する。
【００３４】
このようにして、かご１内照度に応じて発光表示器５の輝度を制御するため、むだな電流を消費することなく、発光表示器５の表示内容の認識を容易にして、乗客の不快感を解消することが可能となる。
なお、上記各実施の形態は、屋外側に窓を持つかごを昇降する展望用エレベーターに最適のものであるが、これに限るものではなく、かご１に窓を持ち、外光が入射するエレベーターであれば適用可能である。
【００３５】
【発明の効果】
以上説明したとおりこの発明の第１発明では、かごを外光が入射する所定階へ移動させてかご内照明灯を消灯した状態でかご内照度を測定し、この測定されたかご内照度を所定の補正基準値と比較して判定基準照度を選択するようにしたため、外光によるかご内照明異常検出の誤作動を防止し、高精度の検出をすることができるとともに適正な判定基準照度を容易に選択することができる。
【００３６】
また、第２発明では、かご内照度が切換基準照度を越えると、かご内照明灯を消灯させるようにしたため、第１発明の効果に加えて、外光によるかご内照度が確保されている場合、かご内照明灯を消灯し、省電力化を図ることができる。
【００３７】
また、第３発明では、かご内照度に応じて発光表示器の輝度を制御するようにしたため、第１又は第２発明の効果に加えて、むだな電流を消費することなく、発光表示器の表示内容の認識を容易にして、乗客の不快感を緩和することができる。
【００３８】
また、第４発明では、かごを、屋外側に窓を持つ展望用かごとしたため、展望用エレベーターに好適なものとすることができ、第１〜第３発明と同様の効果がある。
【００３９】
また、第５発明では、かごを外光が入射する所定階へ移動させ、かごの移動後かご内照明灯を消灯し、かご内照明灯の消灯後かご内照度を測定し、測定されたかご内照度を所定の補正基準値と比較して判定基準照度を補正する各ステップを有するものとしたため、第１発明と同様の効果がある。
【図面の簡単な説明】
【図１】この発明の実施の形態１を示す全体構成図。
【図２】この発明の実施の形態１を示す動作フローチャート。
【図３】この発明の実施の形態１を示す動作タイミングチャート。
【図４】この発明の実施の形態２を示す動作フローチャート。
【図５】この発明の実施の形態３を示す動作フローチャート。
【図６】従来のエレベーターのかご内照明異常検出装置を示すブロック線図。
【図７】従来のエレベーターのかご内照明異常検出装置を示す動作タイミングチャート。
【符号の説明】
１ 窓付エレベーターのかご、２ かご内照明灯、４ 照度センサ、５ 発光表示器、９ 補正値演算制御手段、１０ スイッチ開閉制御手段、１１ 輝度補正値制御手段、１２ 判定基準照度選択手段、１３ 照度検出装置、１４ 判別回路、１５ 照明制御回路、１６ 切換スイッチ、１８ 輝度選択装置、Ｓ１〜Ｓ１２ 判定基準照度補正手段、Ｓ２〜Ｓ５ 照明測定手段、Ｓ８〜Ｓ１２ 判定基準照度選択手段、Ｓ２７，Ｓ３１ スイッチ開閉制御手段、Ｓ４１〜Ｓ４７輝度補正値選択手段。
【図１】
0003547933.tif 000002
【図２】
0003547933.tif 000003
【図３】
0003547933.tif 000004
【図４】
0003547933.tif 000005
【図５】
0003547933.tif 000006
【図６】
0003547933.tif 000007
【図７】
0003547933.tif 000008